(57)【要約】【課題】加える力の方向と、作用する方向とを、変える機構を実現することである。【解決手段】上記課題を解決するために、力を受け止める移動部と、湾曲した屈曲部と、前記移動部と前記屈曲部との間に位置する突起部とからなり、前記屈曲部が一定の方向へ湾曲することに特徴がある樹脂ばねを用いる。  上記の樹脂ばねと、前記樹脂ばねと組み合わされる移動体とから開閉機構であって、前記移動体が、前記樹脂ばねから力を受けて、回転または移動する開閉機構を用いる。  上記の樹脂ばねと、前記樹脂ばねを有する支えと、前記支えを有する持ち手とからなる清掃道具を用いる。【選択図】図１
2012132515.tif 000002
【特許請求の範囲】
【請求項１】
力を受け止める移動部と、
湾曲した屈曲部と、
前記移動部と前記屈曲部との間に位置する突起を有する突起部とからなり、
前記屈曲部が一定の方向へ湾曲することに特徴がある樹脂ばね。
【請求項２】
前記屈曲部が複数である請求項１記載の樹脂ばね。
【請求項３】
前記複数の屈曲部が対称に配置された請求項２記載の樹脂ばね。
【請求項４】
前記一定の方向が、前記移動部の移動方向と異なる請求項１から３のいずれか１項記載の樹脂ばね。
【請求項５】
前記一定の方向が、前記移動部の移動方向と９０度異なる請求項１から４のいずれか１項に記載の樹脂ばね。
【請求項６】
前記複数の屈曲部の湾曲する一定の方向が、円を描く方向である請求項３から５のいずれか１項に記載の樹脂ばね。
【請求項７】
前記屈曲部の端部が半球状である請求項１から６のいずれか１項に記載の樹脂ばね。
【請求項８】
前記屈曲部の端部が、屈曲方向へ傾斜している請求項１から６のいずれか１項に記載の樹脂ばね。
【請求項９】
前記複数の屈曲部が線状のものである請求項３から８のいずれか１項に記載の樹脂ばね。
【請求項１０】
前記屈曲部の形状が、数字の５の形状である請求項１から９のいずれか１項に記載の樹脂ばね。
【請求項１１】
前記屈曲部の先端に、前記移動部と異なる方向へ移動する移動体が設けられた請求項１から１０のいずれか１項に記載の樹脂ばね。
【請求項１２】
前記移動体が回転する請求項１１に記載の樹脂ばね。
【請求項１３】
１から１２記載の樹脂ばねと、
前記樹脂ばねと組み合わされる移動物とからなる開閉機構であって、
前記移動物が、前記樹脂ばねの屈曲部から力を受けて、回転または移動する開閉機構。
【請求項１４】
前記移動物に、前記屈曲部に対応する突起が設けられている請求項１３記載の開閉機構。
【請求項１５】
前記移動物が回転する請求項１３または１４記載の開閉機構。  
【請求項１６】
前記移動物が一方方向へ移動する請求項１３または１４記載の開閉機構。
【請求項１７】
１から１２記載の樹脂ばね２つを用いる開閉機構であって、
前記２つの樹脂ばねの屈曲部が逆に屈曲する請求項１３から１６のいずれか１項に記載の開閉機構。
【請求項１８】
１から１２記載の樹脂ばね２つを用いる開閉機構であって、
前記２つの樹脂ばねを、その突起部で連結した請求項１３から１６のいずれか１項に記載の開閉機構。
【請求項１９】
１から１２記載の樹脂ばねと、
前記樹脂ばねを有する支えと、
前記支えを有する持ち手とからなる清掃道具。
【請求項２０】
さらに、前記支えに接続される吸引口を有する請求項１９記載の清掃道具。
【請求項２１】
請求項１から１２記載のいずれか１項記載の樹脂ばねを複数用いる請求項１９または２０記載の清掃道具。
【発明の詳細な説明】
【技術分野】
【０００１】
本発明は、力の方向変換装置とそれを用いた製品に関する。
【背景技術】
【０００２】
一般に、ドアの開閉、パチンコのハンドルなどは、力の方向へ回転させることで、開閉、強弱の調整をしている。
【０００３】
しかし、ドアの場合、回転されることができない身体障害者や子供の場合、開け閉めができない。パチンコのハンドルの場合、調整できやすいと、面白みがない、また、ハンドル固定による不正も生じている。
【０００４】
従来のパチンコのハンドルの機構を図９（ａ）、図９（ｂ）を用いて説明する。図９（ａ）は、ハンドルの上面図である。図９（ｂ）は、ハンドルの断面図である。ハンドルは、突部７２と回転部７１とからなる。人は、突部７２を利用して、回転部７１を回転させる（特許文献１）。
【０００５】
ハンドルには、内部に軸部７３があり、回転部７１と一体となっている。回転により、軸部７３の回転をセンサー７４で回転を検出し、玉を打ち出す。回転角度に応じて、玉を打ち出す。
【０００６】
しかし、この機構では、回転方向と玉を打ち出す方向が同じで、面白みがない。ギャンブル性がない。
【０００７】
ドアなどの開閉機構では、回転させる必要がある。身体障害者や、老人、子供などで回転させることができない場合、開閉ができない。
【先行技術文献】
【特許文献】
【０００８】
【特許文献１】特開２００１−１７００２６７号公報
【発明の概要】
【発明が解決しようとする課題】
【０００９】
従来の回転機構では、加える力の方向と、作用する方向とが、同一であった。そこで、本発明が解決しようとする技術的課題は、加える力の方向と、作用する方向とを、変える機構を実現することである。
【課題を解決するための手段】
【００１０】
上記課題を解決するために、力を受け止める移動部と、湾曲した屈曲部と、
前記移動部と前記屈曲部との間に位置する突起部とからなり、前記屈曲部が一定の方向へ湾曲することに特徴がある樹脂ばねを用いる。
【００１１】
上記の樹脂ばねと、前記樹脂ばねと組み合わされる移動体とから開閉機構であって、前記移動体が、前記樹脂ばねから力を受けて、回転または移動する開閉機構を用いる。
【発明の効果】
【００１２】
力の方向と、力が作用する方向を変化させることができる。回転させることができない人でも、ドア、引き出しなどの開閉ができる。ゲームなどで、力の方向を変えることで、面白みがでる。さらに、掃除道具に応用することで、汚れ、埃を、擦りとることができる。
【図面の簡単な説明】
【００１３】
【図１】（ａ）本願発明の樹脂ばねの図、（ｂ）本願発明の樹脂ばねの図、（ｃ）は、本願発明の樹脂ばねの図。
【図２】（ａ）力がかかっていない状態を示す図、図２（ｂ）は、力がかかって変形している状態を示す図、  （ｃ）（ａ）の変形例を示す図、（ｄ）屈曲部１２が複数本ある例を示す図。
【図３】（ａ）樹脂ばね１０に、力が加わっている状態を示す図、（ｂ）屈曲部の先端を示す図、（ｃ）屈曲部の先端を示す図。
【図４】（ａ）引き出しの正面図、（ｂ）引き出しが開いている状態の断面図、（ｃ）引き出しが閉じている状態の断面図、（ｄ）は、障壁部１５の正面図。
【図５】（ａ）樹脂ばね１０に力がかかっていない状態の上面図、（ｂ）樹脂ばね１０に力をかけた状態の上面図、（ｃ）（ａ）の状態の屈曲部１２の先端の断面図、（ｄ）（ｂ）の状態での屈曲部１２の先端の断面図。
【図６】（ａ）洗浄用具の側面図、（ｂ）別の洗浄用具の側面図、（ｃ）洗浄対象の容器の断面図、（ｄ）別の洗浄容器の側面図。
【図７】（ａ）は、２つの樹脂ばねを用いた例で、作用していない状態の断面図、（ｂ）（ａ）で１方の樹脂ばねが動作している状態を示す断面図、（ｃ）（ａ）でもう１方の樹脂ばねが動作している状態を示す断面図、（ｄ）２つの樹脂ばねを用いた別の例で、作用していない状態の断面図、（ｅ）２つの樹脂ばねを合体した樹脂ばねを用い例で、作用していない状態の断面図。
【図８】（ａ）ハンドルの上面図、（ｂ）ハンドルを押し込む前の断面図、（ｃ）ハンドルを押し込んだ後の断面図、（ｄ）屈曲部１２を押し込む前の断面図、（ｅ）屈曲部を押し込んだ後の断面図。
【図９】（ａ）従来のパチンコのハンドルを説明する図、（ｂ）従来のパチンコのハンドルを説明する図。
【発明を実施するための形態】
【００１４】
以下、添付図面に基づいて本発明に係る樹脂ばねを詳細に説明する。
【００１５】
（実施の形態１  樹脂製ばね）
図１（ａ）から図１（ｆ）は、本願発明の樹脂ばね１０である。図１（ａ）は、樹脂ばね１０に力が加えられていない状態の斜視図である。図１（ｂ）は、樹脂ばね１０に力が加えられている状態の斜視図である。図１（ｃ）は、樹脂ばね１０に力が加えられていない状態の上面図である。図１（ｄ）は、樹脂ばね１０に力が加えられている状態の上面図である。図１（ｅ）と図１（ｆ）は、屈曲部１２の先端の例である。
【００１６】
屈曲部１２と、突起部１３と、移動部１４とからなる。屈曲部１２は、線状の細長いもので、複数本ある。対称に設けられている。１つの屈曲部１２をみると、数字の５と同じ形状である。突起部１３は、屈曲部１２と移動部１３とが連結される部分である。移動部１４は、樹脂ばね１０として力を受け、作用させる部分である。樹脂ばね１０の応用によりその構造が異なる。
【００１７】
図１（ａ）、図１（ｃ）の状態は、力を樹脂ばね１０に加えていない状態である。移動部１４に力を加える（紙面に垂直方向に）と、屈曲部１２が、障壁部１５と接触し、変形し、図１（ｂ）、図１（ｄ）になる。つまり、複数の屈曲部１２が、同じ方向へ、曲がる。このことで、力の作用する方向（紙面に平行方向へ）が変化する。力を除くと、図１（ｂ）、図１（ｄ）から、図１（ａ）、図１（ｃ）へ戻る。屈曲部１２のばね性により、戻る。
【００１８】
屈曲部１２は、複数本、対称に設けられている。本数が多いと力を加える力も必要となる。少ないと、安定性にかける。４本以上８本までがよい。図１（ｅ）と図１（ｆ）に、屈曲部１２の先端を示す。
【００１９】
図１（ｂ）に、さらに、力を加えると、突起部１３が、障壁部１５に接触し、それ以上は、曲がらない。このことで、屈曲部１２が保護される。屈曲部１２は、対称に設けられるので、左右のバランスがとれる。
【００２０】
図１（ｅ）、図１（ｆ）に屈曲部１２の先端を示す。図１（ｅ）のように、屈曲部１２の先端は、曲がりやすく、丸みを帯びているのがよい。さらに、図１（ｆ）に示すように、その先端は、一定方向に（曲がる方向へ）傾斜していると、さらによい。障壁１５に対して、スムーズに曲がりやすい。樹脂ばね１０は、樹脂成形で１つの樹脂製品として作製できる。
【００２１】
屈曲部１２は、図１（ａ）に示すように、初期の状態（力がかかっていない状態）ですでに、丸みを帯びている、湾曲している。そして、力がかかるとさらに、その湾曲にそって、さらに曲がる。もし、初期状態にて、湾曲していないと、湾曲しにくい、安定性にかけ、破損しやすい。また、初期に必要な力が、その後にいる力と比較して、変化してしまい、取り扱いしにくい。この発明では、初期から屈曲部１２が、湾曲しているので、力に応じて、スムーズに湾曲しやすい。
【００２２】
屈曲部１２の曲がる、湾曲する方向は、図１（ｃ）の矢印の方向で、移動部１４は、紙面に垂直方向なので、異なる方向へ、屈曲部１２は曲がる。また、全体として、円周の方向へ湾曲する。安定した屈曲ができる。力の作用の方向が９０度変わり、かつ、安定して変化できる。
【００２３】
図２（ａ）から図２（ｄ）は、屈曲部１２が、１つ、または、複数であるが、対象でない場合を示す。図２（ａ）、図２（ｂ）、図２（ｃ）は、屈曲部１２が１本の場合である。図２（ａ）は、力がかかっていない状態、図２（ｂ）は、力がかかって変形している状態を示す。  図２（ｃ）は、図２（ａ）の変形例である。
【００２４】
屈曲部１２が、１本であり、一方向へ屈曲、湾曲する。図２（ｃ）は、屈曲部１２の先端の幅が広く、力の作用部分が広く、力を伝達しやすい。図２（ｄ）は、屈曲部１２が複数本ある例である。図１と異なり、１方向へ屈曲、湾曲する。図２の例では、屈曲部１２が非対称に設けられるので、樹脂ばね１０として安定性に欠けるが、しかし、力を集中して屈曲部１２へ伝達できる。なお、それ以外は、図１の例と同じである。
【００２５】
（パチンコのハンドルへの応用）
図３（ａ）から図３（ｅ）は、パチンコなどのハンドルへのこの発明の応用を示す。図３（ａ）は、ハンドルの上面図である。図３（ｂ）は、ハンドルを押し込む前の断面図である。図３（ｃ）は、ハンドルを押し込んだ後の断面図である。図３（ｄ）は、屈曲部１２を押し込む前の断面図である。図３（ｅ）は、屈曲部１２を押し込んだ後の断面図である。
【００２６】
保持部２１と、移動部１４と、突起部１３と、屈曲部１２と、障壁部１５と、センサー７４とからなる。保持部２１は、移動部１４を支えるものである。移動部１４は、前に説明した樹脂ばね１０のものである。樹脂ばねは、上記いずれかを使用できる。突起部１３は、前に説明した樹脂ばね１０のものである。屈曲部１２は、前に説明した樹脂ばね１０のものである。障壁部１５は、屈曲部１２が接触する壁である。センサー７４は、屈曲部１２の移動量を測定するセンサーである。
【００２７】
従来の図９と異なり、回転させるのでなく、移動部１４を押し込み、その押し込み量で、玉を制御するハンドルである。
【００２８】
図３（ａ）の移動部１４を押し込むと、図３（ｂ）の状態から、図３（ｃ）の状態へ変化する。屈曲部１２が、押し込まれることで、障壁部１５に接触し、その先端が曲がる。その変化をセンサー７４で検出し、玉を打ち出す。変化量に応じて、玉を打ち出す力が発生する。
【００２９】
この発明では、力を加える方向と、作用する方向が、力を加えた方向と異なり、ギャンブル性がでる。また、従来問題であった、ハンドル固定もできない。さらに、移動部１４の形状を、例えば、球状とすることで、遊びこころがでる。押すだけなので、親指など１本の指でも利用できる。
【００３０】
（ドアへの応用）
図４（ａ）から図４（ｅ）は、ドアへのこの発明の応用を示す。図４（ａ）は、ドアが閉まっている状態の断面図である。図４（ｂ）は、ドアを開いている状態の断面図である。図４（ｃ）は、別の応用を示す断面図である。屈曲部１２、移動部１４と、第１連結棒３２と、第２連結棒３３と、ばね３１と、ドア境界部３５とからなる。
【００３１】
屈曲部１２は、前に説明した樹脂ばね１０のものである。移動部１４は、前に説明した樹脂ばね１０のものである。第１連結棒３２は、樹脂ばね１０の力を、第２連結棒３３に伝達する媒体（移動物）である。第２連結棒３３は、第１連結棒５２の力を受け、移動する媒体（移動物）である。ばね３１は、第２連結棒３３を常に押しているばねである。
【００３２】
ドア境界部３５は、ドアとドアの境界である。境界に第１連結棒３２、または、第２連結棒３３が存在すると、ドアが開かない。図４（ａ）において、屈曲部１２の１つの近傍に、第２連結棒３３が配置され、第２連結棒３３に隣接して、第１連結棒３２が連結されている。第１連結棒３２を、ばね３１で、第２連結棒３３へ押している。ドア境界部３５が、第１連結棒３２でふさがっている。つまり、ドアが閉まっている状態である。
【００３３】
図４（ｂ）では、図４（ａ）の状態から、前記に示したのと同様に、樹脂ばね１０に力が加えた状態で、屈曲部１２が、曲がっている（湾曲した）状態である。この曲がりにより、第２連結棒３３が、押され、第２連結棒３３が、さらに、第１連結棒５２を押す。このことで、ドア境界部３５が、第１連結棒３２でふさがっていない。つまり、ドアが開いている状態である。移動部１４を押すことでドアを開けることができる。
【００３４】
図４（ｃ）は、図４（ａ）の変形例で、上下に第２連結棒３３、第１連結棒３２が配置された図である。樹脂ばね１０は、その屈曲部１２が複数あり、複数の開閉機構を設けることができる。複数の開閉機構でより、安定した開閉となる。この例では、樹脂ばね１０の垂直方向の力を水平方向の力へ変更している。結果、ドアの開閉ができる。回転動作なく、ドアの開閉ができる。
【００３５】
図５（ａ）から図５（ｄ）は、作用部５５（移動物）に、屈曲部１２に対応する突起５９を設けた例を示す。作用部５５は、上記例では、第２連結棒３２であり、移動物である。
【００３６】
図５（ａ）は、樹脂ばね１０に力がかかっていない状態の上面図で、図５（ｃ）はその時の屈曲部１２の先端の断面図である。力を樹脂ばね１０にかけると、図５（ｂ）、図５（ｄ）になる。  図５（ｂ）は、樹脂ばね１０に力をかけた状態の上面図で、図５（ｄ）はその時の屈曲部１２の先端の断面図である。
【００３７】
屈曲部１２の先端により、突起５９がおされ、作用部５５が作用をうけ、移動、または、回転する。この作用部５５の先に、ドアの境界などが存在する。図示しないが、作用部５５は上記と同様に、ばねなどで絶えず、押されており、樹脂ばね１０への力を除去すると、元の状態へもどる。突起５９があるので、確実に屈曲部１２は、作用部５５を押せる。
【００３８】
（引き出しへの応用）
図６（ａ）、図６（ｂ）、図６（ｃ）、図６（ｄ）に、樹脂ばね１０を引き出しに応用した例を示す。図６（ａ）は、引き出しの正面図である。図６（ｂ）は、引き出しが閉じている状態の断面図である。図６（ｃ）は、引き出しが開いている状態の断面図である。図６（ｄ）は、閉じた状態の障壁部１５の正面図である。図６（ｅ）は、開いた状態の障壁部１５の正面図である。
【００３９】
屈曲部１２と、突起部１３と、移動部１４と、引き出し４２と、障壁部１５と、鍵部４１と、引き出し４２と、机４３と、突起４４と、回転部４５と、からなる。屈曲部１２と、突起部１３と、移動部１４とは、前記に示した樹脂ばね１０の部分である。回転部４５は、屈曲部１２に設けられ、屈曲部１２とともに移動する移動体である。この点が、上記樹脂ばね１０と大きくことなる点である。移動体も含めて、樹脂ばね１０は、上記と同様に、樹脂成形で作製できる。
【００４０】
上記で示した樹脂ばね１０のいずれでも回転部４５、移動体を設けることができる。回転部４５は、円盤状の平たいものである。引き出し４２は、机４３に設けられるもので、屈曲部１２と移動部１４の間に位置する。障壁部１５は、引き出し４２の内部の壁である。引き出し４２は、通常の引き出しである。机４３は、通常の机である。木製、スチール製である。鍵部４１は、回転部４５の側面に設けられて、突起４４と組み合わせられ、引き出しの開閉を制御する。突起４４は、障壁１５に設けられた突起であり、鍵部４１と組み合わされ引き出し４２を開閉する。
【００４１】
図６（ａ）は、引き出し４２の正面図であり、移動部１４が、机４３の引き出し４２の前面に設けられている。内部に下記の開閉機構が位置する。移動部１４を押すことで、引き出し４２の開閉をする。
【００４２】
図６（ｂ）は、引き出し４２が閉まっている状態の断面図である。この時の回転部４５を示すのが、図６（ｄ）である。図６（ｄ）では、鍵部４１が、突起４４にひっかかり、引き出し４２が開かない、閉まった状態である。
【００４３】
この状態から、人が、移動部１４に力をかけて、引き出し４２に対して押し込むと、図６（ｃ）になる。図６（ｃ）は、引き出し４２が開いている状態の断面図である。この時の回転部４５の状態は、図６（ｅ）である。移動部１４に力をかけられると、回転部４５が、障壁部１５に押し当てられ、屈曲部１２が曲がり、回転部４５が回転する。結果、回転部４５の鍵部４１が、突起４４から外れる。力をかけたこの状態で、引き出し４２を開けることができる。
【００４４】
引き出し４２を閉じる時も、移動部１４に力をかけて、図６（ｃ）、図６（ｅ）の状態にして、引き出し４２を机４３にいれ、力を抜く（手を離すと）、図６（ｂ）、図６（ｅ）となり、鍵部４１が、突起４４と組み合わされ、閉まった状態となる。
【００４５】
この例では、樹脂ばね１０の屈曲部１２に、さらに、回転部４５（移動体）を設けた。回転部４５の回転で、開閉を制御する。上記のように回転から、一方向への移動へ変えてもよい。上記の例の図４のように、移動体（連結棒）へ力を伝達し、一方向へ作用させてもよい。
【００４６】
（２つの樹脂ばねの例）
図７（ａ）から図７（ｅ）は、２つの樹脂ばねを用いた応用例を示す。図７では、屈曲部１２は、１本のみ表示しているが、複数本あってもよい。図７（ａ）は、２つの樹脂ばねを用いた例で、作用していない状態の断面図である。図７（ｂ）は、図７（ａ）で１方の樹脂ばねが動作している状態を示す断面図である。図７（ｃ）は、図７（ａ）でもう１方の樹脂ばねが動作している状態を示す断面図である。図７（ｄ）は、２つの樹脂ばねを用いた別の例で、作用していない状態の断面図である。図７（ｅ）は、２つの樹脂ばねを合体した樹脂ばねを用い例で、作用していない状態の断面図である。
【００４７】
樹脂ばね１０、樹脂ばね１０ａ、樹脂ばね１０ｂと、移動部１４ａ、移動部１４ｂ、突起部１３ａ、突起部１３ｂ、屈曲部１２ａ、屈曲部１２ｂと、作用部５５、保持部２１とからなる。
【００４８】
作用部５５は、樹脂ばね１０からの作用を受けて、回転、移動し、開閉の鍵へつながる部分である。
保持部２１は、樹脂ばね１０を保持する部分である。装置の壁、外装などである。
【００４９】
図７（ａ）で、樹脂ばね１０は、樹脂ばね１０ａ、樹脂ばね１０ｂの２本ある。その屈曲部１２ａ、屈曲部１２ｂの方向が逆に設けてある。作用部５５に、力を作用させていない状態である。図７（ａ）では、屈曲部１２ａ、１２ｂは、作用部５５に接触していないが、軽く、接触していてもよい。
【００５０】
図７（ｂ）は、一方の樹脂ばね１０ａが、その移動部１４ａを力で押され、その屈曲部１２ａが、作用部５５に押され、変形しているところである。この変形に伴い、作用部５５は、左へ移動する。または、左へ回転する。
【００５１】
図７（ｃ）は、もう一方の樹脂ばね１０ｂが、その移動部１４ｂを力で押され、その屈曲部１２ｂが、作用部５５に押され、変形するところである。この変形に伴い、作用部５５は、右へ移動する。または、右へ回転する。２つの樹脂ばね１０で作用部５５（移動物）を移動させているので、開閉がしっかり実行される。
【００５２】
図７（ｄ）では、樹脂ばね１０が上下に２つ設けられている。上の樹脂ばね１０ａと下の樹脂ばね１０ｂを、それぞれ別に押すことで、左右に作用部５５を移動させることができる。または、作用部５５を右周り、左周りに回転できる。
【００５３】
図７（ｅ）では、樹脂ばね１０を２つ連結部５６で、それぞれの突起部を接合したもので、一体として移動する。この場合、樹脂ばね１０を押すと上の屈曲部１２ａが、作用部５５に接触し、作用部５５を移動させる。一方、樹脂ばね１０を引くと、下の屈曲部１２ｂが、作用部５５に接触し、作用部５５を移動させる。
【００５４】
（洗浄用具への応用）
図８（ａ）から図８（ｅ）は、洗浄用具へのこの発明の応用を示す。図８（ａ）は、洗浄用具の側面図である。図８（ｂ）は、別の洗浄用具の側面図である。図８（ｃ）は、洗浄対象の容器６５の断面図である。図８（ｄ）は、別の洗浄容器の側面図である。
【００５５】
樹脂ばね１０と、支え６２と、持ち手６１とからなる。樹脂ばね１０は、前に示した樹脂ばね１０のいずれかである。支え６２は、樹脂ばね１０を、支えるものである。持ち手６１は、人が持つところである。
【００５６】
図８（ａ）では、支え６２に複数の樹脂ばね１０を設けている。人は、持ち手６１を利用して、壁、床などへ樹脂ばね１０を押し当て、その屈曲部１２を湾曲させ、汚れなどを取り、壁、床などの清掃をする。樹脂ばね１０は、前に示したものであるので、一定の方向に、その屈曲部１２が曲がり、汚れなどが取れる。また、突起部１３で、屈曲部１２の曲がりの制限があり、破損しにくい。
【００５７】
図８（ｂ）は、別の洗浄用具の側面図であり、図８（ａ）との違いは、樹脂ばね１０が１つであることである。図８（ｃ）などの形状の容器、ビンの中身を洗浄するためのものである。図８（ｄ）は、別の洗浄容器の側面図であり、支え６２が、床、壁などを洗浄するため、平たい形状に設計されている。
【００５８】
別の応用として、掃除機の先端に、樹脂ばね１０を設けてもよい。樹脂ばね１０で汚れ、ほこりをこすりとり、掃除機で吸い取ることができる。支え６２と掃除機の吸引口を接続すればよい。この例でも、力の方向を変えることで、汚れ、ほこりをとることができる。
【産業上の利用可能性】
【００５９】
本発明は樹脂製のばねに関するもので従来のばねが利用されている部分に広く用いることができる。
【符号の説明】
【００６０】
１０、１０ａ、１０ｂ  樹脂ばね
１２、１２ａ、１２ｂ  屈曲部
１３、１３ａ、１３ｂ  突起部
１４、１４ａ、１４ｂ  移動部
１５  障壁部
２１  保持部
２２  突起部
３１  ばね
３２  第１連結棒
３３  第２連結棒
３５  ドア境界部
４１  鍵部
４２  引き出し
４３  机
４４  突起
４５  回転部
５５  作用部
５６  連結部
５９  突起
６１  持ち手
６２  支え
６５  容器
７１  回転部
７２  突部
７３  軸部
７４  センサー
【図１】
2012132515.tif 000003
【図２】
2012132515.tif 000004
【図３】
2012132515.tif 000005
【図４】
2012132515.tif 000006
【図５】
2012132515.tif 000007
【図６】
2012132515.tif 000008
【図７】
2012132515.tif 000009
【図８】
2012132515.tif 000010
【図９】
2012132515.tif 000011